(57)【要約】【課題】ヘッドとインク供給源とが別個に設けられている場合であっても、インク供給管と干渉せずにヘッド保持部をキャリッジに固定すること。【解決手段】インク供給管（３０）が接続されるインク供給部（３１）と、インクの液滴を吐出するノズルとを有するヘッド（３）と、ヘッドの少なくとも一部の外面を囲む縁部（４２）を有し、ノズルが露出するようにヘッドを保持するヘッド保持部（４）と、ノズルが露出するようにヘッド保持部を保持するキャリッジ（６）と、キャリッジにヘッド保持部を押し付ける付勢部（７）と、キャリッジにヘッド保持部の縁部を付勢部とは異なる方向に押し付けて、キャリッジからのヘッド保持部の離脱を規制する規制部（８）と、を備える。【選択図】図３
2018176433.tif 000002
【特許請求の範囲】
【請求項１】
インク供給管が接続されるインク供給口と、インクの液滴を吐出するノズルとを有するヘッドと、
前記ヘッドの少なくとも一部の外面を囲む縁部を有し、前記ノズルが露出するように前記ヘッドを保持するヘッド保持部と、
前記ノズルが露出するように前記ヘッド保持部を保持するキャリッジと、  
前記キャリッジに前記ヘッド保持部を押し付ける付勢部と、
前記キャリッジに前記ヘッド保持部の前記縁部を前記付勢部とは異なる方向に押し付けて、前記キャリッジからの前記ヘッド保持部の離脱を規制する規制部と、
を備えることを特徴とする画像形成装置。
【請求項２】
前記キャリッジは、前記ヘッド保持部を受け入れる受け部を有し、
前記ヘッド保持部は、前記受け部に係合する係合部を有することを特徴とする請求項１に記載の画像形成装置。
【請求項３】
前記付勢部は、前記キャリッジにおける前記ヘッド保持部を挟んだ前記受け部の反対側に設けられ、
前記付勢部は、前記ヘッド保持部を前記受け部に向けて押し付けることを特徴とする請求項２に記載の画像形成装置。  
【請求項４】
前記キャリッジに保持された前記ヘッド保持部の上方に進退自在に前記キャリッジに設けられた蓋部を備え、
前記規制部は、前記蓋部に設けられていることを特徴とする請求項１から３までのいずれか一項に記載の画像形成装置。
【請求項５】
前記蓋部は、前記キャリッジに回転自在に設けられていることを特徴とする請求項４に記載の画像形成装置。
【請求項６】
前記蓋部が前記ヘッド保持部の上方にある状態で前記蓋部の回転を規制するストッパを備えることを特徴とする請求項５に記載の画像形成装置。
【請求項７】
前記キャリッジには、保持されている前記ヘッド保持部に当接し、軸回りに回転自在とされた偏心カムが設けられていることを特徴とする請求項１から６までのいずれか一項に記載の画像形成装置。
【発明の詳細な説明】
【技術分野】
【０００１】
本発明は、画像形成装置に関する。
【背景技術】
【０００２】
布や紙等の記録媒体にインクを吐出して画像を形成する画像形成装置としてインクジェット記録装置（インクジェットプリンタ）が知られている。
インクジェット記録装置においては、インクの液滴を吐出するヘッドがヘッドホルダに保持されており、ヘッドホルダは走査方向に沿って往復移動するキャリッジに設けられている。これにより、キャリッジが移動しながら、ヘッドからインクを吐出することで記録媒体に画像を形成することができる。一般的に、ヘッドホルダは、キャリッジから外れないように、キャリッジに螺子によって固定されている。
しかし、ヘッドホルダをキャリッジに螺子で固定すると、ヘッドホルダの着脱作業に手間がかかる。また、キャリッジに対するヘッドホルダの位置の微調整も螺子を緩めた状態で行うので、手間がかかるものとなっていた。
【０００３】
そこで、ヘッドホルダの上方に当該ヘッドホルダに当接するカバー部材を設け、カバー部材とキャリッジとの間に加圧スプリングを設けることにより、加圧スプリングの弾性力によってカバー部材をヘッドホルダに向かう方向に加圧し、ヘッドホルダをキャリッジに固定する構成が開示されている（例えば、特許文献１参照）。
【先行技術文献】
【特許文献】
【０００４】
【特許文献１】特開２０１３−２３３７９１号公報
【発明の概要】
【発明が解決しようとする課題】
【０００５】
しかし、大型のインクジェット記録装置においては、印刷時に大量のインクを使用することからヘッドとインク供給源とが別個に設けられており、印刷中に随時インクをヘッドに供給する必要があるため、ヘッドとインク供給源とがインク供給管で接続されている。この場合、特許文献１に記載されているように、カバー部材でヘッドホルダを加圧しようとしても、インク供給管が邪魔してヘッドホルダをうまく加圧することができず、ヘッドホルダをキャリッジに固定することは困難である。よって、特許文献１に記載の構成は、インク供給管を必要としない、ヘッドとインク供給源とが一体となったインクジェット記録装置にしか適用することができないという問題があった。
【０００６】
そこで、本発明は、上記課題に鑑みてなされたものであり、ヘッドとインク供給源とが別個に設けられている場合であっても、インク供給管と干渉せずにヘッド保持部をキャリッジに固定することができる画像形成装置を提供することを目的とする。
【課題を解決するための手段】
【０００７】
上記の課題を解決するため、本発明は、画像形成装置であって、インク供給管が接続されるインク供給口と、インクの液滴を吐出するノズルとを有するヘッドと、前記ヘッドの少なくとも一部の外面を囲む縁部を有し、前記ノズルが露出するように前記ヘッドを保持するヘッド保持部と、前記ノズルが露出するように前記ヘッド保持部を保持するキャリッジと、前記キャリッジに前記ヘッド保持部を押し付ける付勢部と、前記キャリッジに前記ヘッド保持部の前記縁部を前記付勢部とは異なる方向に押し付けて、前記キャリッジからの前記ヘッド保持部の離脱を規制する規制部と、を備えることを特徴とする。
この構成によれば、付勢部がキャリッジにヘッド保持部を押し付けることによってキャリッジにおけるヘッド保持部の位置決めを行い、規制部が付勢部とは異なる方向からヘッド保持部の縁部を押し付けることによってキャリッジからのヘッド保持部の離脱を規制する。これにより、付勢部も規制部もヘッド保持部をヘッドの上方からキャリッジに押し付けることがないので、ヘッドとインク供給源とが別個に設けられてインク供給管で連結されているような大型の画像形成装置であっても、インク供給管等に干渉することなくヘッド保持部をキャリッジに固定することができる。
【０００８】
また、前記キャリッジは、前記ヘッド保持部を受け入れる受け部を有し、前記ヘッド保持部は、前記受け部に係合する係合部を有することが好ましい。
この構成によれば、受け部に係合部が係合するので、キャリッジに対するヘッド保持部の位置決めが容易になり、ヘッド保持部の取り付け作業を軽減することができる。
【０００９】
また、前記付勢部は、前記キャリッジにおける前記ヘッド保持部を挟んだ前記受け部の反対側に設けられ、前記付勢部は、前記ヘッド保持部を前記受け部に向けて押し付けることが好ましい。  
この構成によれば、付勢部は、ヘッド保持部を挟んだ受け部の反対側からヘッド保持部を押し付けるので、ヘッド保持部の係合部をキャリッジの受け部に係合させやすくなる。
【００１０】
また、前記キャリッジに保持された前記ヘッド保持部の上方に進退自在に前記キャリッジに設けられた蓋部を備え、前記規制部は、前記蓋部に設けられていることが好ましい。
この構成によれば、蓋部をヘッド保持部の上方に進出させることにより、規制部がヘッド保持部を押し付け、ヘッド保持部のキャリッジからの離脱を規制することができる。
【００１１】
また、前記蓋部は、前記キャリッジに回転自在に設けられていることが好ましい。
この構成によれば、蓋部を回転させるだけで蓋部をヘッド保持部の上方に進退自在とすることができる。
【００１２】
また、前記蓋部が前記ヘッド保持部の上方にある状態で前記蓋部の回転を規制するストッパを備えることが好ましい。
この構成によれば、ストッパを備えることにより、蓋部をヘッド保持部の上方で固定することができ、規制部によってヘッド保持部を押し付けた状態のままキャリッジに固定することができる。
【００１３】
また、前記キャリッジには、保持されている前記ヘッド保持部に当接し、軸回りに回転自在とされた偏心カムが設けられていることが好ましい。
この構成によれば、偏心カムを回転させることにより、ヘッド保持部を付勢部の付勢力に抗して移動させることができ、ヘッドの位置の微調整を行うことができる。
【発明の効果】
【００１４】
本発明によれば、ヘッドとインク供給源とが別個に設けられている場合であっても、インク供給管と干渉せずにヘッド保持部をキャリッジに固定することができる。
【図面の簡単な説明】
【００１５】
【図１】画像形成装置の概略を示す斜視図である。
【図２】ヘッドを取り付けたキャリッジの斜視図である。
【図３】ヘッドを取り外したキャリッジの斜視図である。
【図４】ヘッドの斜視図である。
【図５】付勢部でヘッド保持部をキャリッジに押し付けた状態を示す斜視図である。
【図６】付勢部及び規制部でヘッド保持部をキャリッジに押し付けた状態を示す斜視図である。
【図７】ストッパの斜視図である。
【発明を実施するための形態】
【００１６】
以下、本発明に係る画像形成装置の実施の形態について、図面を参照しながら説明する。
図１に示すように、画像形成装置１００は、複数色のインクを用いて記録媒体Ｍの上に画像を形成するインクジェットプリンタである。画像形成装置１００は、本体ユニット１０と、印刷ユニット２０と、制御ユニット４０とを備えている。
ここで、記録媒体Ｍの種類としては、例えば、紙、不織布、塩化ビニル、合成化学繊維、ポリエチレン、ポリエステル、ターポリン、或いはアクリル板を含む種々の材質からなるメディア（浸透性／非浸透性を問わない）が用いられる。インクの種類としては、例えば、溶剤系インク（典型的には、光硬化型インク）、水系インク（典型的には、染料インク・顔料インク）、或いは固体インクが用いられる。
【００１７】
＜本体ユニット、制御ユニット＞
図１に示すように、本体ユニット１０は、脚部を有する基台１１と、基台１１の上方に設けられ、上面に記録媒体Ｍが載置されるプラテン１２とを備えている。
基台１１は、プラテン１２を下方から支持し、プラテン１２の上面をほぼ水平に保つ台であり、プラテン１２の高さや傾きの調節ができるようになっている。
図１に示すように、制御ユニット４０は、印刷ユニット２０の側方、すなわち、記録媒体Ｍの上方から外れた位置に設けられている。制御ユニット４０は、制御部４０ａと、操作部４０ｂとを備えている。制御部４０ａは、印刷ユニット２０による印刷の制御を行う。具体的には、ヘッドからのインクの吐出制御、キャリッジの駆動制御、記録媒体Ｍの搬送制御、ヘッドのクリーニング制御等を行う。操作部４０ｂは、例えば、タッチパネル式のディスプレイ、スピーカ、各種ボタン等を備えて構成されており、ユーザは操作部４０ｂを介して印刷の指示を入力する。
【００１８】
＜印刷ユニット＞
図１〜図７に示すように、印刷ユニット２０は、インクの液滴を吐出するノズルを有するヘッド３と、ヘッド３を保持するヘッド保持部４と、ガイドレール（Ｙバー）５と、ガイドレール５に沿ってＹ方向に移動可能なキャリッジ６と、キャリッジ６にヘッド保持部４を押し付ける付勢部７と、キャリッジ６にヘッド保持部４を押し付けて、キャリッジ６からのヘッド保持部４の離脱を規制する規制部８とを備えている。
ここで、印刷ユニット２０は、キャリッジ６を主走査方向（Ｙ方向）に往復移動させながら、記録媒体Ｍの上の同じ位置（所定幅の画像領域）に向けてインクの液滴を複数回に分けて吐出することで画像を完成させる記録方式である。主走査方向に相当するＹ方向は、記録媒体Ｍの搬送方向に相当するＸ方向に直交する。
【００１９】
（ヘッド）
図２、図４に示すように、ヘッド３は、略箱状に形成されており、例えば、シアン（Ｃ）、マゼンタ（Ｍ）、イエロー（Ｙ）、ブラック（Ｋ）の各色のインクの液滴を吐出するように、底面には複数のノズルが形成されている。底面に対向する上面にはインクをヘッド３に供給するインク供給管３０が接続されるインク供給口３１が設けられている。ヘッド３の底面と上面との間には一時的に少量のインクを貯留する貯留部３２が設けられている。なお、ノズルの数はインクの色数に応じて形成される。
【００２０】
（ヘッド保持部）
図４〜図６に示すように、ヘッド保持部４は、ヘッド３の底面のノズルが露出するようにヘッド３を保持する。ヘッド保持部４は、キャリッジ６に着脱自在に構成されるとともに、キャリッジ６に保持される。ヘッド保持部４は、ヘッド３を底面側から保持する底部４１と、底部４１に連続し、ヘッド３の外側からヘッド３の側壁面を囲むように枠状に形成された縁部４２とを有している。ヘッド３は、ヘッド保持部４の上方から挿入され、底部４１に当接するまで差し込まれる。なお、縁部４２は、ヘッド３の側壁面を完全に囲むように形成されている場合に限らず、一部の側壁面だけが囲まれていてもよい。
底部４１は、少なくともヘッド３のノズルに対向する領域に開口４１ａを有している。縁部４２は、ヘッド３の側壁面から外側に向かって所定の幅を有するように形成されている。縁部４２の外側の側壁面には、外側に向けて平面視円弧状に突出し、上下方向に貫通された孔４３ａを有する係合部４３が形成されている。
【００２１】
（ガイドレール）
図１に示すように、ガイドレール５は、プラテン１２の上方において、プラテン１２上の記録媒体Ｍの搬送方向（Ｘ方向）に直交する方向（Ｙ方向）に延在するように設けられている。ガイドレール５は、キャリッジ６をＹ方向に沿って往復移動自在に保持するものであり、Ｙバーとも呼ばれる。
【００２２】
（キャリッジ）
図２、図３に示すように、キャリッジ６は、ガイドレール（Ｙバー）５に沿ってＹ方向に往復移動自在に設けられている。キャリッジ６は、ヘッド３の底面のノズルが露出するようにヘッド保持部４を保持する。なお、本実施の形態においては、キャリッジ６は、二つのヘッド保持部４を保持することができるものであるが、キャリッジ６は、一つのヘッド保持部４を保持するものであってもよいし、三つ以上のヘッド保持部４を保持するものであってもよい。
【００２３】
キャリッジ６は、ガイドレール５にＹ方向に沿って往復移動自在に係合されているメイン筐体６１と、メイン筐体６１に係止されているサブ筐体６２と、サブ筐体６２に固定されているベースプレート６３と、ベースプレート６３に回転自在に設けられた蓋部６４と、蓋部６４に設けられたストッパ６５と、ベースプレート６３に回転自在に設けられた偏心カム６６とを備えている。
【００２４】
メイン筐体６１は、キャリッジ６の背面壁を構成するものであり、背面がガイドレール５に往復移動自在に係合されている。メイン筐体６１の正面側には、サブ筐体６２、ベースプレート６３が設けられている。
【００２５】
サブ筐体６２は、メイン筐体６１の正面側において、メイン筐体６１に係止されている。サブ筐体６２は、螺子等で完全にメイン筐体６１に固定されているわけではなく、ヘッド３の高さ方向（上下方向）に沿って上下動自在にメイン筐体６１に係止されている。サブ筐体６２は、メイン筐体６１の正面壁に沿った壁部６２ａと、この壁部の両端部から壁部とは反対側（キャリッジ６の前方）に突出して延びる腕部６２ｂとを有している。サブ筐体６２には、ヘッド３の高さ方向の位置を調節する調節カム（不図示）が当接する当接板６２ｃが設けられており、この調節カムに当接板６２ｃが載置されている。なお、調節カムの回転によるヘッド３の高さ方向の位置の調節は、調節カムの軸６２ｄに設けられている操作ハンドル６２ｅを回すことにより行う。
【００２６】
図５に示すように、ベースプレート６３は、サブ筐体６２の壁部６２ａと腕部６２ｂとに囲まれた空間に設けられている。ベースプレート６３は、サブ筐体６２に螺子等によって固定されている。ベースプレート６３は、ヘッド保持部４を下方から保持する底部６３ａと、ヘッド保持部４を側方から保持する壁部６３ｂとを有する。底部６３ａは、ヘッド保持部４を保持した際に、ヘッド３のノズルに対向する領域に開口６３ｃが形成されている。すなわち、ベースプレート６３には、二つの開口６３ｃが形成されている。壁部６３ｂは、保持するヘッド保持部４の周囲を囲むように底部６３ａに形成されている。壁部６３ｂに近い底部６３ａの底面（上面）には、当該底面（上面）から上方に延びる円柱のピン状の受け部６７が立設されている。受け部６７には、ヘッド保持部４の係合部４３が係合する。より具体的には、ヘッド保持部４の係合部４３の孔４３ａにピン状に形成された受け部６７が挿通されることにより、ヘッド保持部４がベースプレート６３に係合される。
【００２７】
蓋部６４は、ベースプレート６３に取り付けられたヘッド保持部４を上方から押し付けてヘッド保持部４がベースプレート６３から離脱しないように保持する。蓋部６４は、その一端が、ベースプレート６３の壁部６３ｂに回転自在に設けられた回転軸６４ａに取り付けられている。これにより、蓋部６４は、ベースプレート６３に回転自在に設けられていることになる。蓋部６４は、ヘッド保持部４毎に回転軸６４ａに設けられている。蓋部６４は、ベースプレート６３に保持されたヘッド保持部４の上方に進出する位置と上方から退避する位置との間で進退自在となるように回転軸６４ａに設けられている。蓋部６４は、ヘッド保持部４の上方に進出した際に、ヘッド保持部４の縁部４２に対向するように形成されており、蓋部６４は、ヘッド保持部４の縁部４２を上方からベースプレート６３に押し付ける。
【００２８】
図７に示すように、ストッパ６５は、回転軸６４ａの両端部にそれぞれ設けられており、回転軸６４ａの回転とともに回転する。ストッパ６５は、回転軸６４ａの軸線方向に直交する方向に延びる軸体６５ａを中心に回転自在となるように回転軸６４ａに設けられている。ストッパ６５は、軸体６５ａを中心に回転することにより、ベースプレート６３に係合する位置と係合しない位置との間で回転が可能となる。すなわち、ストッパ６５は、ベースプレート６３に設けられた係止爪６３ｄに下側から係止されることで回転が規制され、回転軸６４ａの回転も規制され、蓋部６４の回転が規制される。一方、ストッパ６５は、軸体６５ａ回りに回転して係止爪６３ｄとの係止が外れることにより、回転が規制されることがなくなり、回転軸６４ａ及び蓋部６４が回転軸６４ａ回りに回転することができる。
【００２９】
図５に示すように、偏心カム６６は、ベースプレート６３の底部６３ａに回転自在に設けられている。偏心カム６６は、ベースプレート６３に保持されているヘッド保持部４の外壁面に当接するように設けられており、偏心カム６６の回転により偏心カム６６の回転中心からの距離に応じてヘッド保持部４をベースプレート６３上で移動させる。
【００３０】
（付勢部）
図３、図６に示すように、付勢部７は、弾性材料としての板バネから形成されており、ベースプレート６３の壁部６３ｂに設けられている。より具体的には、付勢部７は、長手方向中央近傍で折り曲げられた板状に形成されており、一方の端部がベースプレート６３の壁部６３ｂに嵌め込まれて固定されている。付勢部７は、ベースプレート６３の壁部６３ｂにおいて、保持されるヘッド保持部４を挟んで受け部６７の反対側の壁部６３ｂに設けられている。すなわち、付勢部７は、ヘッド保持部４の係合部４３をベースプレート６３の受け部６７に向けて押し付けるようにベースプレート６３に配置されている。付勢部７は、例えば、一つのヘッド保持部４の押し付けのために二つずつ設けられている。
【００３１】
（規制部）
図３、図６に示すように、規制部８は、弾性材料としての板バネから形成されており、蓋部６４に設けられている。より具体的には、規制部８は、蓋部６４がヘッド保持部４の上方に進出した際に、ヘッド保持部４の縁部４２に対向する領域に設けられている。規制部８は、長手方向中央付近で蓋部６４に取り付けられており、両端部が蓋部６４から離間するように延在している。これにより、蓋部６４をヘッド保持部４の上方まで回転させてストッパ６５を係止爪６３ｄに係止させた際に、規制部８は、ヘッド保持部４の縁部４２に押し付けられた状態となる。規制部８は、ヘッド保持部４の縁部４２を付勢部７とは異なる方向（下方向）に押し付けており、ベースプレート６３からのヘッド保持部４の離脱を規制する。
【００３２】
以上のような構成を有する画像形成装置１００において、ヘッド３をキャリッジ６に取り付ける際には、ヘッド３をヘッド保持部４に取り付け、ヘッド保持部４をキャリッジ６のベースプレート６３に取り付ける。ヘッド保持部４をベースプレート６３に取り付ける際には、ヘッド保持部４の縁部４２に形成されている係合部４３をベースプレート６３の壁部６３ｂに形成されている受け部６７に嵌め込み、ヘッド保持部４をベースプレート６３の壁部６３ｂに囲まれた空間に押し込む。このとき、ヘッド保持部４の縁部４２は、付勢部７を弾性変形させ、ヘッド保持部４は、弾性変形した付勢部７の復元力によって係合部４３がベースプレート６３の受け部６７に当接するようにキャリッジ６の横方向に向かって押し付けられる。これにより、ヘッド保持部４は、ベースプレート６３に位置決めされ、保持される。
ヘッド保持部４をベースプレート６３に嵌め込んだ後、蓋部６４を回転させてヘッド保持部４の上方に被せ、ストッパ６５をベースプレート６３に形成された係止爪６３ｄに係止させて蓋部６４を固定する。このとき、蓋部６４に設けられている規制部８は、弾性変形した状態でヘッド保持部４の縁部４２に当接し、弾性変形した規制部８の復元力によって縁部４２をベースプレート６３の底部６３ａに向けて押し付け、ヘッド保持部４は、キャリッジ６の下方向に向かって押し付けられる。これにより、ヘッド保持部４は、ベースプレート６３からの離脱が規制される。
よって、付勢部７も規制部８もヘッド３を上方からキャリッジ６に押し付けることがないので、ヘッド３とインク供給源とが別個に設けられてインク供給管３０で連結されているような大型の画像形成装置であっても、インク供給管３０等に干渉することなくヘッド保持部４をキャリッジ６に固定することができる。
【００３３】
また、ベースプレート６３の受け部６７は円柱のピン状に形成され、この受け部６７に係合するヘッド保持部４の係合部４３は、受け部６７を挿通する孔４３ａを有しているので、ベースプレート６３に対するヘッド保持部４の回転を許容しつつも、位置決めが容易になり、ヘッド保持部４の取り付け作業を軽減することができる。
また、付勢部７は、ベースプレート６３においてヘッド保持部４を挟んで受け部６７の反対側に設けられているので、付勢部７は、ヘッド保持部４を挟んだ受け部６７の反対側からヘッド保持部４を押し付けるので、ヘッド保持部４を受け部６７に係合させやすくなる。
また、規制部８は、蓋部６４に設けられているので、蓋部６４をヘッド保持部４の上方に進出させることにより、規制部８がヘッド保持部４を押し付け、ヘッド保持部４のキャリッジ６からの離脱を規制することができる。
また、蓋部６４は、ベースプレート６３に回転自在に設けられているので、蓋部６４を回転させるだけで蓋部６４をヘッド保持部４の上方に進退自在とすることができる。
【００３４】
また、蓋部６４の回転軸６４ａにはストッパ６５が設けられているので、蓋部６４をベースプレート６３の係止爪６３ｄに係止させることで、蓋部６４をヘッド保持部４の上方で固定することができ、規制部８によってヘッド保持部４を押し付けた状態のままキャリッジ６に固定することができる。
また、ベースプレート６３には、保持されているヘッド保持部４に当接し、軸回りに回転自在とされた偏心カム６６が設けられているので、偏心カム６６を回転させることにより、ヘッド保持部４を付勢部７の付勢力に抗して移動させることができ、ヘッド保持部４に保持されているヘッド３の位置の微調整を行うことができる。
また、付勢部７及び規制部８は、弾性材料としての板バネから形成されているので、汎用品を用いて簡易な構成でヘッド保持部４をキャリッジ６に押し付けることができる。
【００３５】
なお、本発明は、上記の実施の形態に限定されることはなく、本発明の趣旨を逸脱しない範囲内で適宜変更可能である。例えば、キャリッジ６は、二つのヘッド保持部を保持するものに限られず、保持できるヘッド保持部の数量は変更可能である。
また、ヘッド保持部４に受け部を形成し、ベースプレート６３に係合部を形成してもよい。
また、付勢部７、規制部８の形状、設置位置、数量、大きさは変更可能である。
また、ヘッド保持部４の縁部４２は、ヘッド３の外側面を完全に囲うものに限らず、少なくとも規制部８に対向する部分に形成されていればよい。
【符号の説明】
【００３６】
３  ヘッド
４  ヘッド保持部
６  キャリッジ
７  付勢部
８  規制部
１０  本体ユニット
２０  印刷ユニット
３０  インク供給管
３１  インク供給部
４０  制御ユニット
４２  縁部
４３  係合部
６３  ベースプレート
６４  蓋部
６５  ストッパ
６６  偏心カム
６７  受け部
１００  画像形成装置
【図１】
2018176433.tif 000003
【図２】
2018176433.tif 000004
【図３】
2018176433.tif 000005
【図４】
2018176433.tif 000006
【図５】
2018176433.tif 000007
【図６】
2018176433.tif 000008
【図７】
2018176433.tif 000009